(57)【要約】      （修正有）【課題】簡易な構造の椅子に取付けて、歯科診療や理容、美容に使用でき、組立て解体が容易で軽量で携帯性に優れた組立て式のヘッドレストおよび照明具を提供する。【解決手段】椅子の背凭れ部等を把持する第１のパイプ連結具を介して該椅子の背凭れに沿って上方に延伸する第１の直線パイプと、該第１の直線パイプに略直交して折り畳み可能に固定され前記背凭れ上方に延伸する第２の直線パイプと、該第２の直線パイプに固定されて座者の頭部を支持するヘッドレストと、該第１の直線パイプまたは前記第２のパイプに折り畳み可能に固定され前記椅子の略上方に延伸する第３の直線パイプと、該第３の直線パイプに略直交して折り畳み可能に固定され前記座者の頭部前方または後方に延伸する第４の直線パイプと、該第４の直線パイプに固定されて前記座者の頭部を前方または後方から照らす照明具とからなる構成とした。【選択図】図１
0003123834.tif 000002
【実用新案登録請求の範囲】
【請求項１】
把持可能な構成部材および背凭れを有する椅子の該構成部材を把持する第１のパイプ連結具を介して折り畳み可能に該椅子に添設され該背凭れに略沿って上方に延伸する第１の直線パイプと、
前記第１の直線パイプに第２のパイプ連結具を介して略直交して折り畳み可能に固定され前記背凭れ上方に延伸する第２の直線パイプと、
前記第２の直線パイプの先端部近傍かつ前記背凭れ上方に位置するように固定されて前記椅子の座者の頭部を支持するヘッドレストと、
前記第１の直線パイプまたは前記第２のパイプに装着される第３のパイプ連結具を介して折り畳み可能に固定され前記椅子の略上方に延伸する第３の直線パイプと、
前記第３の直線パイプに第４のパイプ連結具を介して略直交して折り畳み可能に固定されその先端部が前記座者の頭部前方または後方に延伸する第４の直線パイプと、
前記第４の直線パイプの先端部近傍かつ前記座者の頭部前方または後方に位置するように固定されて前記座者の頭部を前方または後方から照らす照明具と、
からなる、ことを特徴とする携帯用組立て式ヘッドレストおよび組立て式照明具。
【請求項２】
前記ヘッドレストは前記第２の直線パイプに対し着脱自在かつ回動自在に固定されるヘッドレスト連結部を具え前記座者頭部の後面および両側面を支持する形状を有し、
前記照明具は前記第４の直線パイプに対し着脱自在かつ回動自在に固定される照明具連結部を具えることを特徴とする請求項１に記載の携帯用組立て式ヘッドレストおよび組立て式照明具。
【請求項３】
前記第１のパイプ連結具、前記第２のパイプ連結具、前記第３のパイプ連結具および前記第４のパイプ連結具（以下、これらを総称するときは「パイプ連結具ら」という。）は、それぞれ前記構成部材、前記第１の直線パイプ、前記第２の直線パイプ、前記第３の直線パイプおよび前記第４の直線パイプ（以下、これらを総称するときは「構成部材および直線パイプ等」という。）を把持する把持部を有し、
前記パイプ連結具らは、それぞれ把持される前記構成部材および直線パイプ等を相互に着脱自在、摺動自在かつ所望の交差角度に前記直線パイプ等を固定自在とし、
携帯時には、それぞれのパイプ連結具らにより当該パイプ連結具らに連結されて固定される二本の直線パイプを折り畳み可能に収納でき、
組み立て時には、前記パイプ連結具らの前記構成部材および直線パイプ等に対する把持は締付けハンドルを具える締付け具により行われる、ことを特徴とする請求項１または請求項２に記載の携帯用組立て式ヘッドレストおよび組立て式照明具。
【請求項４】
前記第３のパイプ連結具が嵌挿される前記第１の直線パイプと前記第２の直線パイプとが前記第２のパイプ連結具により連結されて第１の組合せパイプが折り畳み可能に構成され、
前記第３の直線パイプと前記第４の直線パイプとが前記第４のパイプ連結具により連結されて第２の組合せパイプが折り畳み可能に構成され、
前記第１のパイプ連結具、前記第１の組合せパイプ、前記第２の組合せパイプ、前記ヘッドレストおよび前記照明具が折り畳まれて、１つの収納バックに収納可能である、ことを特徴とする請求項１ないし請求項３のいずれかに記載の携帯用組立て式ヘッドレストおよび組立て式照明具。
【請求項５】
前記第１のパイプ連結具、前記第１の組合せパイプおよび／または前記第２の組合せパイプには互いに識別用および／または組立て用の記号、模様あるいは色が付されている、ことを特徴とする請求項４に記載の携帯用組立て式ヘッドレストおよび組立て式照明具。
【考案の詳細な説明】
【技術分野】
【０００１】
本考案は歯科用、理美容用等に使用される椅子のヘッドレストおよび照明具に関し、特にパイプ椅子等に取付けられる携帯用のヘッドレストおよび照明具に関する。
【背景技術】
【０００２】
近年、高齢化社会を背景に、高齢者に対する医療の整備や、高齢者の介護サービスの高度化が社会的に要請されてきている。医療面においては、歯科治療や耳鼻咽喉科治療のニーズがかなり高く、この面での対策も重要であり、今後は、歯科や耳鼻咽喉科の巡回在宅診療の普及が重要となってくるとともに、介護面においては、理容や美容のニーズも増大し、今後は、在宅理容や在宅美容の要求に応えることが重要となってくる。
【０００３】
ところで、歯科診療や耳鼻咽喉科治療には、内科診療等と異なり、患者の歯や耳・鼻・咽喉部を十分観察できるように、患者の姿勢を仰向けにするためのヘッドレストを具える椅子や患者の歯や耳・鼻・咽喉部を照らすための照明具が必須である。また、理容や美容においても、対象者の頭部を固定するヘッドレストを具える椅子が必須であり、さらに、対象者の頭部を照らす照明具があれば細かい作業ができるので便利である。
【０００４】
このような要望を背景に、巡回用の歯科診療用椅子に関する発明が開示されている（特開２０００−１６６９９６号参照）。この歯科診療用椅子は、「軽量で、折り畳み自在であり、コンパクトで、しかも、着脱可能な座部の高さを、楽にかつ滑らかに調整することのできる巡回歯科診療用の可搬椅子」であり、その詳細を図面に基づいて説明する。図８は、特開２０００−１６６９９６号公報に開示された巡回用歯科診療用可搬椅子の側面図であり、同図（ａ）は使用時の状態を示す図であり、同図（ｂ）は搬送時や収納時の状態を示す図である。
【０００５】
図８に示すように、巡回歯科診療用の可搬椅子１０１は、基台１０２、パンタグラフ構造の伸縮リンク機構１０３及び着脱可能な座部１０４を有し、基台１０２は、一対の定置フレーム１０５を有し、定置フレーム１０５の前端部には車輪１０８が、後端部には取っ手１０９が取り付けられており、伸縮リンク機構１０３は、互いに接近する方向に圧縮コイルスプリング１４６により付勢された前部リンク１１３と後部リンク１１４とを有し、前部リンク１１３と螺合するねじ１２９を有するハンドル１３０付き回転軸１２８が設けられ、座部１０４は、腰部フレーム１３３、傾斜角度を調整できる背部フレーム１３４、及び脚部フレーム１３５とを有する、構成としている。
そして、巡回歯科診療用の可搬椅子１０１は、パンタグラフ式に上下方向に伸縮するように構成されていて、使用時には、図８（ａ）に示す状態となり、搬送時や収納時には、図８（ｂ）に示す状態となる。
【０００６】
ところで、本願共願人の一人は、車椅子用頭部等の支持装置を既に提案しており（特開２０００−５２３６号公報参照）、この装置は、「車椅子使用者の頭部、体幹部等を夫々の個別位置に対応して簡単に調整設定して固定保持でき、しかも専用金具を使用せずに既存部材を使用することで安価で且つ簡易に構成した車椅子用頭部等の支持装置」であり、図面に基づいて説明する。図９は、特開２０００−５２３６号公報に開示された同装置の斜視図である。
【０００７】
図９に示すように、車椅子用頭部等の支持装置を「背もたれ部Ｂ後方に突出するように車椅子Ｗのフレーム部分に横支持部用固定継手部材２１１を介して横支持基部２１０を取付け、該横支持基部２１０に対し上下方向の傾倒揺動と水平方向へのスライドとが可能な縦支持部用固定継手部材２２１を介して縦支持部２２０を取り付け、該縦支持部２２０に対し枕体２０２の前後・上下方向の平行移動、左右方向の揺動、上下方向の傾倒夫々が可能な枕体調整固定手段２３０を取り付けて枕体支持機構２０１を構成する。また、枕体調整固定手段２３０は、枕体２０２の背面に固着したアーム部材２３１と、該アーム部材２３１の上下の平行移動、左右方向の揺動、前後傾倒方向の揺動夫々を可能とするよう縦支持部２２０側に固定する締付固定部材２３３とから構成する」こととしている。
【特許文献１】特開２０００−１６６９９６号公報
【特許文献２】特開２０００−５２３６号公報
【考案の開示】
【考案が解決しようとする課題】
【０００８】
しかしながら、特許文献１（特開２０００−１６６９９６号公報）に開示の技術は、巡回車に乗せて搬送するように構成されていて、手軽に携帯して運搬できるものではない。また、歯科診療に必須の照明具については、手当てされていない。
【０００９】
特許文献２（特開２０００−５２３６号公報）に開示の技術は、車椅子特有の構成部材である背もたれ部Ｂ後方に突出する車椅子Ｗのフレーム部分の存在を必須のものとしていて、たとえば、パイプ式椅子や折畳み椅子に、この車椅子用頭部等の支持装置を取付けることはできず、取り付けるためには別途に治具を必要とする。また、当該支持装置にも、照明具に関する記述はない。
【００１０】
そこで、本考案は、公民館等の公共の建物には必ず備えられているパイプ式椅子や折畳み椅子等の簡易な構造の椅子に取付けて、歯科診療や耳鼻咽喉科治療および理容や美容に使用でき、かつ、組立て解体が容易で、軽量で携帯性に優れた組立て式のヘッドレストおよび照明具を提供することを目的とする。
【課題を解決するための手段】
【００１１】
上記課題を解決するために、本願請求項１に係る携帯用組立て式ヘッドレストおよび組立て式照明具は、把持可能な構成部材および背凭れを有する椅子の該構成部材を把持する第１のパイプ連結具を介して折り畳み可能に該椅子に添設され該背凭れに略沿って上方に延伸する第１の直線パイプと、前記第１の直線パイプに第２のパイプ連結具を介して略直交して折り畳み可能に固定され前記背凭れ上方に延伸する第２の直線パイプと、前記第２の直線パイプの先端部近傍かつ前記背凭れ上方に位置するように固定されて前記椅子の座者の頭部を支持するヘッドレストと、前記第１の直線パイプまたは前記第２のパイプに装着される第３のパイプ連結具を介して折り畳み可能に固定され前記椅子の略上方に延伸する第３の直線パイプと、前記第３の直線パイプに第４のパイプ連結具を介して略直交して折り畳み可能に固定されその先端部が前記座者の頭部前方または後方に延伸する第４の直線パイプと、前記第４の直線パイプの先端部近傍かつ前記座者の頭部前方または後方に位置するように固定されて前記座者の頭部を前方または後方から照らす照明具と、からなる、ことを特徴としている。
なお、「把持可能な構成部材」とは、たとえば、椅子の脚部、座板部、背凭れ部、肘掛部を形成するパイプや平板をいう。
【００１２】
また、本願請求項２に係る携帯用組立て式ヘッドレストおよび組立て式照明具は、請求項１に記載の携帯用組立て式ヘッドレストおよび組立て式照明具であって、前記ヘッドレストは前記第２の直線パイプに対し着脱自在かつ回動自在に固定されるヘッドレスト連結部を具え前記座者頭部の後面および両側面を支持する形状を有し、前記照明具は前記第４の直線パイプに対し着脱自在かつ回動自在に固定される照明具連結部を具えることを特徴としている。
【００１３】
そして、本願請求項３に係る携帯用組立て式ヘッドレストおよび組立て式照明具は、請求項１または請求項２に記載の携帯用組立て式ヘッドレストおよび組立て式照明具であって、前記第１のパイプ連結具、前記第２のパイプ連結具、前記第３のパイプ連結具および前記第４のパイプ連結具（以下、これらを総称するときは「パイプ連結具ら」という。）は、それぞれ前記構成部材、前記第１の直線パイプ、前記第２の直線パイプ、前記第３の直線パイプおよび前記第４の直線パイプ（以下、これらを総称するときは「構成部材および直線パイプ等」という。）を把持する把持部を有し、前記パイプ連結具らは、それぞれ把持される前記構成部材および直線パイプ等を相互に着脱自在、摺動自在かつ所望の交差角度に前記直線パイプ等を固定自在とし、携帯時には、それぞれのパイプ連結具らにより当該パイプ連結具らに連結されて固定される二本の直線パイプを折り畳み可能に収納でき、組み立て時には、前記パイプ連結具らの前記構成部材および直線パイプ等に対する把持は締付けハンドルを具える締付け具により行われる、ことを特徴としている。
【００１４】
さらに、本願請求項４に係る携帯用組立て式ヘッドレストおよび組立て式照明具は、請求項１ないし請求項３のいずれかに記載の携帯用組立て式ヘッドレストおよび組立て式照明具であって、前記第３のパイプ連結具が嵌挿される前記第１の直線パイプと前記第２の直線パイプとが前記第２のパイプ連結具により連結されて第１の組合せパイプが折り畳み可能に構成され、前記第３の直線パイプと前記第４の直線パイプとが前記第４のパイプ連結具により連結されて第２の組合せパイプが折り畳み可能に構成され、前記第１のパイプ連結具、前記第１の組合せパイプ、前記第２の組合せパイプ、前記ヘッドレストおよび前記照明具が折り畳まれて、１つの収納バックに収納可能である、ことを特徴としている。
【００１５】
また、本願請求項５に係る携帯用組立て式ヘッドレストおよび携帯用式照明具は、請求項４に記載の携帯用組立て式ヘッドレストおよび組立て式照明具であって、前記第１のパイプ連結具、前記第１の組合せパイプおよび／または前記第２の組合せパイプには互いに識別用および／または組立て用の記号、模様あるいは色が付されている、ことを特徴としている。
【考案の効果】
【００１６】
本願請求項１に係る考案によれば、携帯用組立て式ヘッドレストおよび組立て式照明具は、真直ぐな４本のパイプ（第１の直線パイプ、第２の直線パイプ、第３の直線パイプおよび第４の直線パイプ）と、後述するような構成の４個のパイプ連結具（第１のパイプ連結具、第２のパイプ連結具、第３のパイプ連結具および第４のパイプ連結具）と、ヘッドレストと、照明具と、から構成されていて、椅子自体は含まれていない。さらに、この真直ぐな４本のパイプは折り畳み可能に４個のパイプ連結具で連結されている。このため、携帯用組立て式ヘッドレストおよび組立て式照明具は、折り畳むことにより極めてコンパクトに、かつ、軽量なものとなり、人力による運搬や組立て解体も容易である。
そして、ヘッドレストが装備されるので、座者は、ヘッドレストに頭部を預けることにより、楽な姿勢を維持できる。さらに、照明具は、座者の頭部を前方または後方から照らすことができるので、この携帯用組立て式ヘッドレストおよび組立て式照明具を取付けた椅子を理容や美容にも使用することができるばかりでなく、医師が額帯鏡を使用しない場合であっても額帯鏡を使用する場合であっても、いずれの場合にも歯科診療や耳鼻咽喉科治療に有効に使用することができる。
【００１７】
また、本願請求項２に係る考案によれば、ヘッドレストは、座者頭部の後面および両側面を支持する形状を有しているので、座者頭部が左右に振れることなく安定して支持することができ、高齢者であっても比較的長時間その姿勢を保つことができる。そして、照明具を白色光のスポットライトとすれば、医師の判断に不可欠な座者の顔色や表情が明確に判断できる。
また、ヘッドレストおよび照明具は、それぞれ第２の直線パイプおよび第４の直線パイプに対し着脱自在となっているので、携帯性に優れたものとなるとともに、たとえば、ヘッドレストや照明具が不調になったとしても、その交換が容易になる。
【００１８】
そして、本願請求項３に係る考案によれば、パイプ連結具らは、それぞれ脚部および直線パイプ等を着脱自在、摺動自在かつ所望の交差角度に固定することができるので、第１の直線パイプ、第２の直線パイプ、第３の直線パイプおよび第４の直線パイプを所望の位置や向きにすることができ、延いては、第２の直線パイプおよび第４の直線パイプの先端部近傍に固定されるヘッドレストおよび照明具を所望の位置とすることができるとともに、パイプ連結具らは脚部および直線パイプ等を着脱自在としているので、それぞれの部品に分解して持ち運ぶことができる。
さらに、携帯時には、それぞれのパイプ連結具らにより当該パイプ連結具らに連結されて固定される二本の直線パイプを折り畳み可能に収納できるようになっているので、収納に際しては場所を取らず、かつ、極めて容易に収納することができる。また、パイプ連結具らは脚部および直線パイプ等を把持する把持部を有していて、直線パイプ等の把持は締付けハンドルを具える締付具により行われるので、携帯用組立て式ヘッドレストおよび組立て式照明具の組立て解体は、特別の工具無しに行うことができる。
【００１９】
また、本願請求項４に係る考案によれば、携帯用組立て式ヘッドレストおよび組立て式照明具は、第１の直線パイプ、第２の直線パイプ、第２のパイプ連結具および第３のパイプ連結具からなる第１の組合せパイプと、第３の直線パイプ、第４の直線パイプおよび第４のパイプ連結具からなる第２の組合せパイプと、第１のパイプ連結具と、ヘッドレストと、照明具との５個の部品から構成されているので、携帯用組立て式ヘッドレストおよび組立て式照明具は、部品の構成数も少なく極めて容易に組立てができる。また、前述したように、第２のパイプ連結具および第４のパイプ連結具は、所望の交差角度に固定することができるので、所望の交差角度を略０度にして第１の組合せパイプおよび第２の組合せパイプを折り畳んで１つの収納バックに収納することができ、持ち運びにも極めて便利である。
【００２０】
そして、本願請求項５に係る考案によれば、第１のパイプ連結具、第１の組合せパイプおよび／または第２の組合せパイプには、互いに識別用および／または組立て用の記号、模様あるいは色が付されているので、携帯用組立て式ヘッドレストおよび組立て式照明具の組立ては、迷うことなく短時間で行うことができる。
【考案を実施するための最良の形態】
【００２１】
本願考案を実施するための最良の形態に係る実施例について、図１ないし図７に基づいて説明する。なお、図１は、実施例に係る携帯用組立て式ヘッドレストおよび組立て式照明具をパイプ式椅子に取付けた斜視図、図２は、第１のパイプ連結具の斜視図、図３は、第１のパイプ連結具の組立図、図４は、第１の組合せパイプ図であり、図４（ａ）は、使用時の状態を示す図、図４（ｂ）は、収納時の状態を示す図、図５は、第２の組合せパイプ図であり、図５（ａ）は、使用時の状態を示す図、図５（ｂ）は、収納時の状態を示す図、図６は、実施例に係る携帯用組立て式ヘッドレストおよび組立て式照明具の構成部品の斜視図、図７は、実施例に係る収納バックの斜視図、である。
【００２２】
図１ないし図７において、符号１０は第１のパイプ連結具、符号１１は構成部材把持部、符号１２は構成部材把持部本体、符号１３は構成部材締付具、符号１３１は構成部材締付けハンドル、符号１３２は構成部材締付ボルト、符号１３３は構成部材締付け座板、符号１３４はピン、符号１３５は付勢用コイルバネ、符号１３６はボルト螺合孔、符号１５は直線パイプ把持部、符号１６は直線パイプ把持部本体、符号１７は直線パイプ締付具、符号１７１は直線パイプ締付けハンドル、符号１７２は直線パイプ締付ボルト、符号１７３は挿通パイプ、符号１７４は嵌合面、符号３０は第１の組合せパイプ、符号３１は第１の直線パイプ、符号３２は第２の直線パイプ、符号３４は第２のパイプ連結具、符号３５は直線パイプ把持部、符号３６は直線パイプ締付けハンドル、符号３７は第３のパイプ連結具、符号３８は直線パイプ把持部、符号３９は直線パイプ締付けハンドル、符号４０は第２の組合せパイプ、符号４１は第３の直線パイプ、符号４２は第４の直線パイプ、符号４４は第４のパイプ連結具、符号４５は直線パイプ把持部、符号４６は直線パイプ締付けハンドル、符号５０はヘッドレスト、符号５１はヘッドレスト本体、符号５２はヘッドレスト連結部、符号６０は照明具、符号６１は照明具本体、符号６２は照明具連結部、符号７０は収納バック、符号８０はパイプ式椅子、符号８１は背凭れ部、符号８２は座板部、符号８３は脚部、である。
【００２３】
実施例に係る携帯用組立て式ヘッドレストおよび組立て式照明具は、図６に示すように、主に、第１のパイプ連結具１０、第１の組合せパイプ３０、第２の組合せパイプ４０、ヘッドレスト５０および照明具６０からなる５個の部品から構成されていて、持ち運びに際しては、図７に示すように、ボストン型の収納バック７０に収納されるようになっている。
【００２４】
第１のパイプ連結具１０は、図２および図３に示すように、主に、構成部材把持部１１および直線パイプ把持部１５から構成されていて、構成部材把持部１１は、パイプ式椅子８０の背凭れ部８１を構成するパイプを把持し、直線パイプ把持部１５は、第１の組合せパイプ３０を構成する第１の直線パイプ３１を把持する役割を担っている。
なお、実施例では、構成部材把持部１１は背凭れ部８１のパイプを把持しているが、たとえば、脚部８３を把持するようにしても良いことは勿論である。
【００２５】
構成部材把持部１１は、構成部材把持部本体１２および構成部材締付具１３から構成され、さらに、構成部材締付具１３は構成部材締付けハンドル１３１、構成部材締付ボルト１３２、構成部材締付け座板１３３、ピン１３４および付勢用コイルバネ１３５から構成されている。
この構成部材把持部本体１２はコの字型の金具であって、コの字型の対面する一方の面には雌螺子が螺刻されたボルト螺合孔１３６が穿設され、他の面の内側は数本の突条部が突設されて「滑り止め」が形成されている。そして、コの字型の対面する一方の面と他方の面とを連結する連結面が形成する隅部には、挿入孔が穿設されていて、この挿入孔と構成部材締付け座板１３３に形成された挿入孔にピン１３４が挿入されることにより構成部材締付け座板１３３が回動自在に軸支されている。さらに、ピン１３４には付勢用コイルバネ１３５が介装されていて、この付勢用コイルバネ１３５により、構成部材締付け座板１３３はボルト螺合孔１３６の方向に付勢されている。
そして、先端部にレバー式の構成部材締付けハンドル１３１を具える構成部材締付ボルト１３２がボルト螺合孔１３６に螺入され、構成部材締付ボルト１３２の螺入された先端は構成部材締付け座板１３３に当接し、構成部材締付けハンドル１３１を右回転させることにより、構成部材締付ボルト１３２の螺入長さが大きくなって構成部材締付け座板１３３を構成部材把持部本体１２の対面する他方の面へ押し出すようになっている。
【００２６】
直線パイプ把持部１５は、直線パイプ把持部本体１６および直線パイプ締付具１７から構成され、さらに、直線パイプ締付具１７は直線パイプ締付けハンドル１７１、直線パイプ締付ボルト１７２および挿通パイプ１７３から構成されている。
この直線パイプ把持部本体１６はＵの字型の金具であって、Ｕの字型の対面する一対の面には挿入孔が穿設されていて、この挿入孔に、先端部にレバー式の直線パイプ締付けハンドル１７１を具える直線パイプ締付ボルト１７２が挿通され、さらに、直線パイプ把持部本体１６の対面する一対の面間には、挿通パイプ１７３が環装されている。この挿通パイプ１７３は、後述する第１の直線パイプ３１を直線パイプ締付ボルト１７２で必要以上に締め付けたときに、直線パイプ把持部本体１６のＵの字型の先端部が前のめりになることを防ぐ役割を担っている。
そして、直線パイプ把持部本体１６の挿入孔に挿入された直線パイプ締付ボルト１７２の先端は、構成部材把持部本体１２の連結面に穿設されたボルト螺入孔に螺入されて、直線パイプ把持部本体１６と構成部材把持部本体１２とが一体となって、第１のパイプ連結具１０が形成される。
【００２７】
直線パイプ把持部本体１６と構成部材把持部本体１２とが接する面は、図３に示すように放射状の突条部が形成された嵌合面１７４となっていて、構成部材把持部本体１２側にも同様の嵌合面が形成されている。そして、直線パイプ締付けハンドル１７１を右回転させることにより、直線パイプ締付ボルト１７２は構成部材把持部本体１２の連結面に穿設されたボルト螺入孔に螺入されて、直線パイプ把持部本体１６のＵの字型の底面側に挿入された第１の直線パイプ３１を締め付けるとともに、直線パイプ把持部本体１６と構成部材把持部本体１２とを圧接するようになっている。
なお、前述したように、直線パイプ把持部本体１６と構成部材把持部本体１２との接する面は、放射状の突条部が形成された嵌合面１７４となっているが、実施例では、この放射状の突条部の本数を４８としているので、７．５°（＝３６０°／４８）単位で交差角度の調整が可能であり、所望の交差角度で直線パイプ把持部本体１６と構成部材把持部本体１２とを交差させれば、直線パイプ把持部本体１６と構成部材把持部本体１２とが圧接されることにより、その交差角度で強固に固定されることになる。
【００２８】
第１の組合せパイプ３０は、第１の直線パイプ３１、第２の直線パイプ３２、第２のパイプ連結具３４および第３のパイプ連結具３７から構成されていて、第１の直線パイプ３１および第２の直線パイプ３２は、第２のパイプ連結具３４により連結され、第３のパイプ連結具３７の一方の把持部は、第１の直線パイプ３１に挿通されている。なお、第１の直線パイプ３１、第２の直線パイプ３２、および、後述する第３の直線パイプ４１、第４の直線パイプ４２は、略２２ｍｍφの金属パイプであるが、第１のパイプ連結具１０、第２のパイプ連結具３４、第３のパイプ連結具３７および第４のパイプ連結具４４のＵ字形の金具に筒状の中間部材（スペーサー）を設けることにより、より細い径のパイプとすることもできる。
【００２９】
第２のパイプ連結具３４は、先に説明した第１のパイプ連結具１０の直線パイプ把持部１５が２つ合わさった構造を有している。すなわち、第２のパイプ連結具３４は、直線パイプ把持部３５、３５および直線パイプ締付けハンドル３６、３６から構成されていて、直線パイプ把持部３５はＵの字型の金具であって、Ｕの字型の対面する一対の面には挿入孔が穿設されていて、この挿入孔に、先端部にグリップ式の直線パイプ締付けハンドル３６を具える直線パイプ締付ボルトが挿通され、さらに、直線パイプ把持部３５の対面する一対の面間には、挿通パイプが環装されている。そして、直線パイプ把持部３５、３５が背中合わせに接する面は互いに、嵌合面１７４と同様に放射状の突条部が形成されていて、相互に嵌合している。
そして、直線パイプ締付けハンドル３６を右回転させることにより、直線パイプ把持部３５のＵの字型の底面側に挿入された第１の直線パイプ３１や第２の直線パイプ３２を締め付けるとともに、直線パイプ把持部３５、３５相互を圧接するようになっていて、第１の直線パイプ３１および第２の直線パイプ３２を任意の交差角度で固定させることができる。なお、前述したように交差角度は、７．５°刻み、すなわち、３．７５°、１１．２５°、１８．７５°、・・・で調整可能であり、最小角度の３．７５°とすることにより、第１の直線パイプ３１および第２の直線パイプ３２は、折り畳まれて図４（ｂ）の状態となる。
【００３０】
第３のパイプ連結具３７については、前述した第２のパイプ連結具３４と同一の形状、同一の構造であるので、その説明を省略する。
【００３１】
第２の組合せパイプ４０は、第３の直線パイプ４１、第４の直線パイプ４２、および第４のパイプ連結具４４から構成されていて、第３の直線パイプ４１および第４の直線パイプ４２は、第４のパイプ連結具４４により連結されている。
なお、第４のパイプ連結具４４については、前述した第２のパイプ連結具３４と同一の形状、同一の構造であるので、その説明を省略する。また、収納時には、第１の組合せパイプ３０と同様に、折り畳まれて図５（ｂ）の状態となる。
【００３２】
ヘッドレスト５０は、ヘッドレスト本体５１とヘッドレスト連結部５２とから構成されている。ヘッドレスト本体５１の座者の頭部が接する前面は、前方に向けて開いた凹形を呈していて、この凹形が座者の頭部の後面および両側面を支持するようになっている。また、ヘッドレスト本体５１の後ろ面には、パイプが垂設されていて、このパイプを前述した第２のパイプ連結具３４と同様に構成されたパイプ連結具の一方の直線パイプ把持部が把持されて、ヘッドレスト連結部５２が形成されている。そして、このパイプ連結具の他方の直線パイプ把持部が第２の直線パイプ３２を把持することにより、第２の直線パイプ３２にヘッドレスト５０が固定されるようになっているが、第２のパイプ連結具３４と同様に構成されたパイプ連結具により、ヘッドレスト５０は第２の直線パイプ３２に対し、着脱自在かつ回動自在に固定されることとなる。
【００３３】
照明具６０は、照明具本体６１と照明具連結部６２とから構成されている。照明具本体６１は、白色光のスポットライトであって、実施例では、株式会社カキヌマメディカル製のリードハロゲンスポットライトＵＬ−１０２（商品名)を使用している。この商品は、５０ｃｍの距離で１５，０００ＬＵＸのクール光を提供し、色温度は３，４００°Ｋの白色の自然光線を照射するものである。
そして、照明具連結部６２は、側面視がＸ形となる２枚の板から形成される挟みであって、この挟みから回動自在に照明具本体６１が吊設されていて、挟み部で第４の直線パイプ４２を挟掴するようになっていて、照明具６０は第４の直線パイプ４２に対し、着脱自在かつ回動自在に固定されることとなる。
なお、照明具本体６１には、東京メタル工業製のローボルトハロゲンクリップライトＨＬ−１Ｐタイプを使用すると、第４の直線パイプ４２にクリップで簡便に固定できる。
【００３４】
つぎに、実施例に係る携帯用組立て式ヘッドレストおよび組立て式照明具の一使用例について説明する。
【００３５】
まず、実施例に係る携帯用組立て式ヘッドレストおよび組立て式照明具の組立て方について順を追って説明すると、
（１）パイプ式椅子８０の脚部８３を広げた状態にする。実施例に係る携帯用組立て式ヘッドレストおよび組立て式照明具を取付ける椅子は、パイプ式椅子以外の他の椅子であっても、把持可能な構成部材を有する椅子であれば良いことは勿論である。
（２）収納バック７０からセットになった携帯用組立て式ヘッドレストおよび組立て式照明具を取り出し、第１のパイプ連結具１０の構成部材把持部本体１２のコの字型の開放された部分を背凭れ部８１のパイプの所定の位置に押し当てて、背凭れ部８１のパイプを構成部材把持部本体１２内に取り込み、構成部材締付けハンドル１３１を右に回転させて、構成部材把持部本体１２と構成部材締付け座板１３３とで第１のパイプ連結具１０を背凭れ部８１のパイプに挟着させる。
構成部材把持部本体１２と構成部材締付け座板１３３とで形成される挟着部は、やや湾曲した形状となっていて、被挟着部がパイプ状となっていても、あるいは平板状となっていても、強固に挟着できるように形成されている。
【００３６】
（４）折り畳まれた状態の第１の組合せパイプ３０を略直角に開き、第１の直線パイプ３１を第１のパイプ連結具１０の直線パイプ把持部本体１６内に挿入する。そして、第２の直線パイプ３２の先端部が背凭れ８１の上方かつ後方になるように、第１のパイプ連結具１０に対して第１の直線パイプ３１を摺動させあるいは軸方向に回転させながら調整する。調整後、直線パイプ締付けハンドル１７１を右に回転させて、第１の組合せパイプ３０を固定する。
なお、第１の組合せパイプ３０には、組立てを容易にするための記号が付されているので、その記号に従うことにより、迷うことなくパイプ式椅子８０に第１の組合せパイプ３０を固定することができる。
【００３７】
（５）折り畳まれた状態の第２の組合せパイプ４０を略直角に開き、第３の直線パイプ４１を第３のパイプ連結具３７の直線パイプ把持部３８内に挿入する。そして、第４の直線パイプ４２の先端部が座板８２の上方になるように、第３のパイプ連結具３７に対して第３の直線パイプ４１を摺動させあるいは軸方向に回転させながら調整する。調整後、直線パイプ締付けハンドル３９を右に回転させて、第２の組合せパイプ４０を固定する。
なお、第２の組合せパイプ４０についても、第１の組合せパイプ３０同様に、組立てを容易にするための記号が付されているので、その記号に従うことにより、迷うことなく第１の組合せパイプ３０に第２の組合せパイプ４０を固定することができる。
【００３８】
（６）その後、ヘッドレスト５０を第２の直線パイプ３２の先端部に取付け、照明具６０を第４の直線パイプ４２の先端部に取付けて、実施例に係る携帯用組立て式ヘッドレストおよび組立て式照明具の組立てが完了する。
【００３９】
パイプ式椅子８０に実施例に係る携帯用組立て式ヘッドレストおよび組立て式照明具を取付けた後、実際に患者や高齢者をパイプ式椅子８０に座らせることになるが、前記（６）の工程で取付けたヘッドレスト５０や照明具６０に位置を微妙に調整する必要が生ずる。その場合、たとえば、ヘッドレスト５０の位置調整は、第１の直線パイプ３１をそのままの状態にしておいて、第２のパイプ連結具３４の直線パイプ把持部３５を緩めることにより、第１の直線パイプ３１に対する第２の直線パイプ３２の高さや位置を変えることができ、さらに、ヘッドレスト５０自体もその向きや位置を変えることができるので、比較的簡単にヘッドレスト５０の微妙な調整が可能である。
また、同様に、照明具６０についても、第４のパイプ連結具４４の操作や照明具６０自体の操作により、比較的簡単に照明具６０の微妙な位置や向きの調整が可能である。
【００４０】
また、実施例に係る携帯用組立て式ヘッドレストおよび組立て式照明具の解体は、前述した（１）ないし（６）の工程を逆に辿ることにより簡単に解体することができる。なお、組立て解体に際しては、構成部材締付けハンドル１３１、レバー式の直線パイプ締付けハンドル１７１、およびグリップ式の直線パイプ締付けハンドル３６、３９、４６により、一切の工具類を必要とせずに行うことができる。
【図面の簡単な説明】
【００４１】
【図１】図１は、実施例に係る携帯用組立て式ヘッドレストおよび組立て式照明具をパイプ式椅子に取付けた斜視図である。
【図２】図２は、第１のパイプ連結具の斜視図である。
【図３】図３は、第１のパイプ連結具の組立図である。
【図４】図４は、第１の組合せパイプ図であり、図４（ａ）は、使用時の状態を示す図、図４（ｂ）は、収納時の状態を示す図である。
【図５】図５は、第２の組合せパイプ図であり、図５（ａ）は、使用時の状態を示す図、図５（ｂ）は、収納時の状態を示す図である。
【図６】図６は、実施例に係る携帯用組立て式ヘッドレストおよび組立て式照明具の構成部品の斜視図である。
【図７】図７は、実施例に係る収納バックの斜視図である。
【図８】図８は、特開２０００−１６６９９６号公報に開示された巡回歯科診療用の可搬椅子の実施例の側面図であり、（ａ）は使用時の状態を示す図、（ｂ）は搬送時や収納時の状態を示す図である。
【図９】図９は、特開２０００−５２３６号公報に開示された車椅子用頭部等の支持装置の実施例の斜視図である。
【符号の説明】
【００４２】
１０  第１のパイプ連結具
３０  第１の組合せパイプ
３１  第１の直線パイプ
３２  第２の直線パイプ
３４  第２のパイプ連結具
３７  第３のパイプ連結具
４０  第２の組合せパイプ
４１  第３の直線パイプ
４２  第４の直線パイプ
４４  第４のパイプ連結具
５０  ヘッドレスト
６０  照明具
７０  収納バック
８０  パイプ式椅子
【図１】
0003123834.tif 000003
【図２】
0003123834.tif 000004
【図３】
0003123834.tif 000005
【図４】
0003123834.tif 000006
【図５】
0003123834.tif 000007
【図６】
0003123834.tif 000008
【図７】
0003123834.tif 000009
【図８】
0003123834.tif 000010
【図９】
0003123834.tif 000011